(57)【要約】【課題】  一般に装置のための、詳細には光学または写真装置などのための支持体を提供する。【解決手段】  この支持体は、装置を第１の端部のところで受けるとともに、三脚（１）の脚台（３）を通って延びている座部（４）にステム（１１）とともに収容されるように配置されたピラー（１２）を備えている。また、この支持体は、三脚（１）の位置決めにかかわらず装置の水平化のための配向可能なプラットホーム（１３）を第１の端部のところに備えており、ピラー（１２）は、脚台（３）から構造的に独立していて、座部（４）に取出し可能に挿入されることができる。
2005521844.tif 000002
【特許請求の範囲】
【請求項１】
一般に装置のための、特に、光学装置または写真装置などのための支持体であって、装置を第１の端部に受けるとともに、三脚（１）の脚台（３）を通って延びている座部（４）中にステム（１１）とともに収容されるように配置されたピラー（１２）を具備している支持体において、前記三脚（１）の位置決めとは独立して、装置の水平化を果たすための配向可能なプラットホーム（１４）を前記第１の端部に備えており、また、前記ピラー（１２）は、脚台（３）とは構造的に独立していて、座部（４）中に取出し可能に挿入されることができることを特徴とする支持体。
【請求項２】
前記配向可能なプラットホーム（１４）は、プラットホームの固定プレート（１７）とピラーのステム（１１）とに、或いはその逆に、それぞれ固定されたボール（１６）とソケット（１５）とを有する第１のボール／ソケットジョイントと、引っ張られたときにソケット（１５）とボール（１６）との相対的な回転を防ぐように、ソケット（１５）とボール（１６）との間に作用するタイロッド（２３）とを備えている請求項１に記載の支持体。
【請求項３】
水準手段（２２）が、前記プレート（１７）と関連されている請求項２に記載の支持体。
【請求項４】
前記装置の配向可能な支持体用のヘッド（Ｔ）のための固定手段（２０）が、前記プレートと関連されている請求項２または３に記載の支持体。
【請求項５】
前記固定手段は、ヘッド（Ｔ）または装置を固定プレート（１７）に締付けることができる少なくとも１つのねじ継手と、この固定プレート（１７）とヘッド（Ｔ）または装置との間のねじ継手に予め負荷を付与することができる少なくとも１つの無頭ねじ（２１）とを備えている前記すべての請求項のうちのいずれか１つの項に記載の支持体。
【請求項６】
タイロッド（２３）が、ピラーのステム（１１）を通って延びており、第１の端部から遠い方のピラー（１２）の第２の端部と関連されたノブ（２９）によって作動される前記すべての請求項のうちのいずれか１つの項に記載の支持体。
【請求項７】
ノブ（２９）が、その作動によりタイロッド（２３）にねじ付けられている前記すべての請求項のうちのいずれか１つの項に記載の支持体。
【請求項８】
ノブ（２９）が、ピラー（１２）を脚台（３）における座部から取外したり、それに挿入したりする目的で取外されるためにロッド（２３）と取外し可能に関連されている前記すべての請求項のうちのいずれか１つの項に記載の支持体。
【請求項９】
前記ノブ（２９）とともに取外し可能な小さいプレート（３４）が、ノブ（２９）とピラー（１２）との間に介在されており、このプレート（３４）は、ピラーが座部から不慮に離脱するのを防ぐためにピラー（１２）から半径方向に突出することができる前記すべての請求項のうちのいずれか１つの項に記載の支持体。
【請求項１０】
前記小さいプレート（３４）は、ノブの雌ねじ部（２８）にしっかり固定されている請求項９に記載の支持体。
【請求項１１】
前記タイロッドを緩めているときに第１のボール／ソケットジョイントに摩擦負荷を確保するための予備負荷付与手段が、タイロッドに設けられている前記すべての請求項のうちのいずれか１つの項に記載の支持体。
【請求項１２】
前記ピラー（１２）は、座部（４）中で摺動可能であり、前記ピラー（４）をステム（１１）に沿った調整可能な位置で座部（４）にロックするためのロック手段が、脚台（３）とピラー（１２）との間に設けられている前記すべての請求項のうちのいずれか１つの項に記載の支持体。
【請求項１３】
前記ロック手段は、脚台（３）に設けられたブレーキ（３５）を有する請求項１２に記載の支持体。
【請求項１４】
前記ピラー（１２）のステム（１１）および前記脚台（３）における前記座部（４）の形状は、脚台におけるピラーの回転不可能な案内連結をもたらすような形状である請求項１２または１３に記載の支持体。
【発明の詳細な説明】
【技術分野】
【０００１】
本発明は、主請求項の前段部分に記載の種類の、一般に装置のための、特に光学装置または写真装置などのための支持体に関する。
【背景技術】
【０００２】
前述の特徴を有する支持体は、一般にカメラの配向可能な支持体用の三脚またはスタンドと関連して、写真および映写の分野に広く使用されている。この分野では、ピラー支持体が設けられたスタンドまたは三脚を位置決めし、支持体に設けられた装置をそれ自身の軸線のまわりに配向させることができる必要性が生じている。この必要性は、代表的にはいわゆるパノラマ撮影において生じる。
【０００３】
この状況において、カメラの水平性の所望状態が維持されながら、ピラーの回転が起こるように三脚を注意して位置決めすることが必要である。
水平性の必要性を回避するために、光学または写真装置を支持するヘッドが設けられている配向可能なプラットホームを有する支持体が使用されている映写用三脚およびスタンドもまた知られている。しかしながら、これらの支持体は、ピラーの位置決めの自由と妨げるラック駆動体を必要としている。しかも、これらの支持体は、ピラーを三脚の２つまたはそれ以上の位置に移動させることができる用途には全く不適当である。
【発明の開示】
【発明が解決しようとする課題】
【０００４】
本発明の主目標は、従来の設計の三脚に設けられることができ、同時に配向可能なプラットホームを備えた三脚の代表的な利点すべてをもたらす支持体を提供することである。
この目標の範囲内で、本発明の重要な目的は、設けられることができる装置の保全性を保護するための安全装置を有する支持体を提供することである。
【０００５】
本発明の他の目的は、容易に調整可能な支持体を提供することである。
本発明の主目的のうちの１つは、構造的および機能的に前述の従来技術について論述した欠点のすべてを解消するように設計された支持体を提供することである。
【課題を解決するための手段】
【０００６】
この目標と、これらのおよび更なる目的とは、添付の請求項により構成された支持体により達成される。
本発明の特徴および利点は、添付図面を参照して非限定例として説明する好適な実施の形態の詳細の説明から明らかになるであろう。
【発明を実施するための最良の形態】
【０００７】
図面において、全体的に１で示されている写真用および／または映写用の三脚は、すべてが脚台３に集中する複数の脚部２を有しており、４で示されている２つの座部が、脚台３を通って延びており、全体的に１０で示されている本発明により構成された支持体の一部を構成するピラー１２のステム１１は、座部４のうちの一方または他方に収容されている。
【０００８】
前記ステム１１は、丸い角部を持つほぼ正三角形の形状を有する３ローブ付きの管状構成を有している。これらの角部のうちの１つは、肉厚部１３を有しており、この肉厚部１３により、必要なら、肉厚部１３の厚さ以内に選択自由なラックを生じるようにステムを切削することができる。
【０００９】
前記支持体１０は、ステム１１の第１の端部に配向可能なプラットホーム１４を備えており、このプラットホーム１４は、ピラー１２およびプラットホーム１４の固定プレート１７に夫々しっかり固定されたソケット１５およびボール１６を有する第１のボール／ソケットジョイントを有している。ソケット１５は、ステム１１に収容されて挟持されているソケットの軸部１８によってピラーに固定されている。ボール１６は、ねじ１９によって固定プレート１７に固定されている。また、プレート１７は、２つまたはそれ以上の軸線のまわりに配向可能なヘッドＴ用の固定手段２０、２１、および水準手段２２を支持している。前記手段２０は、ヘッドをプレート１７に締付けるためのねじよりなっている。また、前記手段２１は、前記ねじの軸線に向けて集中していて、固定プレート１７とこれに固定される装置ＡのヘッドＴとの間のねじ継手に予め負荷を付与するように配置された複数の無頭ねじよりなっている。かくして、ねじ継手２０の不慮の緩みが防がれる。
【００１０】
無頭ねじ２１は、これらがボール１６に近接していて、固定プレート１７の全サイズが小さくても、接近可能であるように、ねじ２０の軸線に対して傾斜されている。
前記ボール１６は、ピラー１２を通って軸方向に延びていて、第２のボール／ソケットジョイント２４によりボール１６に拘束されたタイロッド２３によって第１のボール／ソケットジョイントをロックするためにソケット１５に挟持されており、前記第２のボール／ソケットジョイント２４は、タイロッド２３の端部と、第１のジョイントのボール１６に形成された球状座部２６とに固定されたボール２５を有している。
【００１１】
前記タイロッド２３は、ボール２５から遠い方のその端部にねじ付き軸部２７を有しており、このねじ付き軸部２７は、ノブ２９に形成された雌ねじ部２８にねじ込みにより係合されている。プラグ３０が、ノブ２９に対応するステム１１の端部に挿入されており、自己ロックナット３１が、プラグ３０に当接するように皿ワッシャ３３を介在させてねじ付き軸部２７にねじ付けられている。かくして、ノブ２９を緩めたり、軸部２７から取外したりすることにかかわらず、すなわち、タイロッドを緩めるとき、第１および第２のボール／ソケットジョイントに摩擦負荷が与えられて、かかる緩みから生じる突然の揺動および衝撃を防ぐように配向可能なプラットホームに設けられる写真装置Ａを取着するようになっている。
【００１２】
前記ノブ２９とピラー１２との間に介在された小さいプレート３４が、ノブにしっかり固定されており、このプレート３４は、座部４からのピラーの不慮の離脱を防ぐために脚台３を妨げるようにノブから半径方向に突出している。
座部４におけるピラーの摺動は、例えば、脚台３に設けられ、ハンドホイールによって、或いは本出願人のイタリア特許出願第ＰＤ９８Ａ００００９６号に記載の装置によって作動可能なねじ作動式ブロックを有する種類のブレーキ３５により調整可能な位置に停止されることができる。
【００１３】
配向可能なヘッドＴ、例えば、パノラマヘッドを支持体１０に締付けるために、或いはビデオカメラＡのような光学装置、写真装置または映写装置を支持体に直接締付けるために、カメラを、固定プレート１７に位置決めし、そして手段２０、２１によって図示のように固定プレート１７に固定する。次いで、第１のボール／ソケットジョイントのソケットおよびボール１５、１６を互いに対して回動させるために、ノブ２９およびこれとともにタイロッド２３を必要なだけ緩めることによって配向可能なプラットホームを水平にする。万一タイロッドを緩めすぎた場合、ナット３１および皿ワッシャ３３による予備摩擦負荷付与の維持により、配向可能なプラットホームの急回動およびプラットホームに支持された装置Ａのその結果生じる損傷を防ぐ。水準手段２２により達成されることができる所望の水平化が完了すると、第１のボール／ソケットジョイントを達した位置にロックするために、ノブ２９を締付ける。
【００１４】
脚台におけるピラーの回転不可能な案内連結に対処しているステム１１および座部４の形状により、三脚に対する支持体の高さ位置が変化されても、配向可能なプラットホームの水平化が維持されることを指摘しておく。
かくして、所望の高さ調整は、達成される水平化が、支持体のヘッドによる装置の任意の次の回転に対して維持されることを知った上で行なわれる。
【００１５】
三脚から支持体１０を取外すためには、小さいプレート３４とともにノブがタイロッド２３のねじ付き軸部２７から取外されるまで、ノブ２６を緩め、次いで脚台３に配置されたブロックブレーキを解放するだけで十分である。
かくして、本発明は、提案した目的を達成し、従来の支持体を上回る多くの利点をもたらす。三脚から取外し可能であるような形態で支持体を製造することによって、三脚を異なる組合せおよび異なる位置で使用することができる。
【００１６】
しかも、ピラーと脚台との相対回転の防止により、脚台に対するピラーの移動にかかわらず、プラットホームの水平化が維持されると言う前述の利点を達成する。
第１のボール／ソケットジョイントに摩擦負荷を与えることにより、支持体に何が設けられようと、支持体を保護する予防手段を構成する。
【００１７】
ステムに肉厚部を設けることにより、ラック駆動体のためのステムの選択自由な切削を許容する。
【図面の簡単な説明】
【００１８】
【図１】諸部品を分離した状態の本発明による支持体を有する三脚の斜視図である。
【図２】図１の支持体の長さ方向断面図である。
【図３】図１の支持体の平面図である。
【図４】図１の線ＩＶ−ＩＶに沿った支持体の断面図である。
【図１】
2005521844.tif 000003
【図２】
2005521844.tif 000004
【図３】
2005521844.tif 000005
【図４】
2005521844.tif 000006
【手続補正書】
【提出日】平成16年4月29日(2004.4.29)
【手続補正１】
【補正対象書類名】特許請求の範囲
【補正対象項目名】全文
【補正方法】変更
【補正の内容】
【特許請求の範囲】
【請求項１】
一般に装置のための、詳細には光学装置または写真装置などのための支持体であって、装置を第１の端部のところで受けるとともに、三脚（１）の脚台（３）を通って延びている座部（４）にステム（１１）とともに収容されるように配置されたピラー（１２）を具備しており、前記支持体は、三脚（１）の位置決めにかかわらず、装置の水平化のための配向可能なプラットホーム（１４）を第１の端部のところに備えており、前記ピラー（１２）は、脚台（３）から構造的に独立していて、座部（４）に取出し可能に挿入されることができ、また、この座部に摺動可能である、支持体において、前記配向可能なプラットホーム（１４）は、この固定プレート（１７）およびピラーのステム（１１）に、或いはその逆にそれぞれしっかり固定されたボール（１６）およびソケット（１５）を有する第１のボール／ソケットジョイントと、引っ張られたときにソケット（１５）およびボール（１６）の相対回転を防ぐためにソケット（１５）とボール（１６）との間に作用するタイロッド（２３）とを備えており、前記タイロッド（２３）は、ピラーのステム（１１）を通って延びており、第１の端部から遠い方のピラー（１２）の第２の端部と関連されたノブ（２９）によって作動されることを特徴とする支持体。
【請求項２】
水準手段（２２）が、前記プレート（１７）と関連されていることを特徴とする請求項１に記載の支持体。
【請求項３】
前記装置の配向可能な支持体用のヘッド（Ｔ）のための固定手段（２０）が、前記プレートと関連されていることを特徴とする請求項１または２に記載の支持体。
【請求項４】
前記固定手段は、ヘッド（Ｔ）または装置を固定プレート（１７）に締付けることができる少なくとも１つのねじ継手と、プレート（１７）とヘッド（Ｔ）または装置との間のねじ継手に予め荷重を付与することができる少なくとも１つの無頭ねじ（２１）とを備えていることを特徴とする前記すべての請求項のうちのいずれか１つの項に記載の支持体。
【請求項５】
ノブ（２９）が、その作動によりタイロッド（２３）にねじ付けられることを特徴とする前記すべての請求項のうちのいずれか１つの項に記載の支持体。
【請求項６】
前記ノブ（２９）は、ピラー（１２）を脚台（３）における座部から取外したり、それに挿入したりする目的で取外されるためにロッド（２３）と取外し可能に関連されていることを特徴とする請求項５に記載の支持体。
【請求項７】
前記ノブ（２９）とともに取外し可能な小さいプレート（３４）が、ノブ（２９）とピラー（１２）との間に介在されており、このプレート（３４）は、ピラーが座部から不慮に離脱するのを防ぐためにピラー（１２）から半径方向に突出することができることを特徴とする前記すべての請求項のうちのいずれか１つの項に記載の支持体。
【請求項８】
前記小さいプレート（３４）は、ノブの雌ねじ部（２８）にしっかり固定されていることを特徴とする請求項７に記載の支持体。
【請求項９】
前記タイロッドを緩めるときに第１のボール／ソケットジョイントに摩擦荷重を確保するための予備荷重付与手段が、タイロッドに設けられていることを特徴とする前記すべての請求項のうちのいずれか１つの項に記載の支持体。
【請求項１０】
前記ピラー（４）をステム（１１）に沿った調整可能な位置で座部（４）に係止するための係止手段が、脚台（３）とピラー（１２）との間に設けられていることを特徴とする前記すべての請求項のうちのいずれか１つの項に記載の支持体。
【請求項１１】
前記係止手段は、脚台（３）に設けられたブレーキ（３５）よりなることを特徴とする請求項１０に記載の支持体。
【請求項１２】
前記ピラー（１２）のステム（１１）および前記脚台（３）における前記座部（４）の形状は、脚台におけるピラーの回転不可能な案内連結をもたらすような形状であることを特徴とする請求項１０または１１に記載の支持体。
【手続補正２】
【補正対象書類名】明細書
【補正対象項目名】０００３
【補正方法】変更
【補正の内容】
【０００３】
この状況において、カメラの水平性の所望状態が維持されながら、ピラーの回転が起こるように三脚を注意して位置決めすることが必要である。
水平性の必要性を回避するために、光学または写真装置を支持するヘッドが設けられている配向可能なプラットホームを有する支持体が使用されている映写用三脚およびスタンドもまた知られている。しかしながら、これらの支持体は、ピラーの位置決めの自由と妨げるラック駆動体を必要としている。しかも、これらの支持体は、ピラーを三脚の２つまたはそれ以上の位置に移動させることができる用途には全く不適当である。
主な請求項の前文に述べられている特徴を有する装置のための支持体は、ＵＳ３１２８９８２とＵＳ２１６８９８８とに開示されている。


【国際調査報告】
2005521844.tif 000007
2005521844.tif 000008
2005521844.tif 000009